(57)【特許請求の範囲】
【請求項１】
メダル収納庫を本体床板上で前後移動可能に収納する遊技台であって、
前記メダル収納庫は、メダルを収納する第一のスペースを形成するものであり、
前記メダル収納庫は、前記第一のスペースの底板の少なくとも一部を天板とした第二のスペースを形成するものであり、
前記メダル収納庫は、後端下部に、前記第二のスペースの開口部を形成するものであり、
前記メダル収納庫は、前記底板を囲む側板のうち、前記メダル収納庫の右後端の前記側板に第一の屈曲部を形成するものであり、
前記メダル収納庫は、前記側板のうち、前記メダル収納庫の左後端の前記側板に第二の屈曲部を形成するものであり、
前記側板のうち前記底板の右側の側板と、前記側板のうち前記底板の左側の側板との間の距離は第一の距離であり、
前記第一の屈曲部は、前記開口部の幅を前記第一の距離よりも狭めるよう屈曲されたものであり、
前記第二の屈曲部は、前記開口部の幅を前記第一の距離よりも狭めるよう屈曲されたものである、
ことを特徴とする遊技台。
【請求項２】
請求項１に記載の遊技台において、
前記第一の屈曲部は、前記メダル収納庫の左側に向けて屈曲されたものであり、
前記第二の屈曲部は、前記メダル収納庫の右側に向けて屈曲されたものである、
ことを特徴とする遊技台。
【発明の詳細な説明】
【技術分野】
【０００１】
本発明は、パチンコ機やスロットマシン（パチスロ機）、封入式遊技台に代表される遊技台に関する。
【背景技術】
【０００２】
従来、メダル払出装置のメダルタンクから溢れたメダルを収納するメダル補助収納庫を備えている遊技台がある（例えば特許文献1参照）。
【先行技術文献】
【特許文献】
【０００３】
【特許文献１】特開２０１０−６９０２８号公報
【発明の概要】
【発明が解決しようとする課題】
【０００４】
ところが、特許文献１に記載のような従来の遊技台においては、メダル補助収納庫が配置された本体床板に、メダルタンクやメダル補助収納庫から落下したメダルが散乱していると、メダルを回収したのちに空となったメダル補助収納庫を配置しようとした場合、メダル補助収納庫が本体床板にあるメダルに乗り上げてしまい、傾いた状態で配置されてしまう。それを嫌い、メダルをどけるようにメダル補助収納庫を本体床板に擦る移動をさせると、本体背面板とメダル補助収納庫との間にメダルが溜まり、メダル補助収納庫を移動させるのに大きな力を要するようになる。
【０００５】
本発明は上記の点にかんがみてなされたもので、メダル補助収納庫を配置させるまでの大きな力を要さなくて済む遊技台を提供することを目的とする。
【課題を解決するための手段】
【０００６】
本発明は上記の目的を達成するために、メダル収納庫を本体床板上で前後移動可能に収納する遊技台であって、前記メダル収納庫は、メダルを収納する第一のスペースを形成するものであり、前記メダル収納庫は、前記第一のスペースの底板の少なくとも一部を天板とした第二のスペースを形成するものであり、前記メダル収納庫は、後端下部に、前記第二のスペースの開口部を形成するものであり、前記メダル収納庫は、前記底板を囲む側板のうち、前記メダル収納庫の右後端の前記側板に第一の屈曲部を形成するものであり、前記メダル収納庫は、前記側板のうち、前記メダル収納庫の左後端の前記側板に第二の屈曲部を形成するものであり、前記側板のうち前記底板の右側の側板と、前記側板のうち前記底板の左側の側板との間の距離は第一の距離であり、前記第一の屈曲部は、前記開口部の幅を前記第一の距離よりも狭めるよう屈曲されたものであり、前記第二の屈曲部は、前記開口部の幅を前記第一の距離よりも狭めるよう屈曲されたものである、ことを特徴とする。
【発明の効果】
【０００７】
本発明によれば、メダル補助収納庫を配置させるまでの大きな力を要さなくて済む遊技台を提供することができる。
【図面の簡単な説明】
【０００８】
【図１】本発明に係るスロットマシン１００の外観斜視図である。
【図２】前面扉１０２を開けた状態のスロットマシン１００を示す正面図である。
【図３】本発明による第１の実施例に係るメダル補助収納庫の構成を示す図あり、（ａ）は底面図であり、（ｂ）は正面図であり、（ｃ）は平面図であり、（ｄ）は左側面図である。
【図４】図３に示すメダル補助収納庫の構成を示す図あり、（ａ）は背面図であり、（ｂ）は（ａ）のＡ−Ａ断面図であり、（ｃ）は正面斜視図であり、（ｄ）は背面斜視図である。
【図５】図３に示すメダル補助収納庫の背面図であり、開口部７０４ａについて説明する図である。
【図６】図３に示すメダル補助収納庫または従来のメダル補助収納庫を前後移動する際の動作を説明する底面図であり、（ａ）は図３に示すメダル補助収納庫２４０が前方に位置する状態を示す図であり、（ｂ）は従来のメダル補助収納庫１２４０が前方に位置する状態を示す図であり、（ｃ）は（ａ）の状態からメダル補助収納庫２４０を後方に移動させた状態を示す図であり、（ｄ）は（ｂ）の状態からメダル補助収納庫１２４０を後方に移動させた状態を示す図である。
【図７】図３に示すメダル補助収納庫を後方に移動させたときの状態を示す斜視図である。
【図８】本発明による第２の実施例に係るメダル補助収納庫の構成を示す図あり、（ａ）は底面図であり、（ｂ）は正面図であり、（ｃ）は平面図であり、（ｄ）は左側面図である。
【図９】図８に示すメダル補助収納庫の構成を示す図あり、（ａ）は背面図であり、（ｂ）は（ａ）のＡ−Ａ断面図であり、（ｃ）は正面斜視図であり、（ｄ）は背面斜視図である。
【図１０】本発明による第３の実施例に係るメダル補助収納庫の構成を示す図あり、（ａ）は底面図であり、（ｂ）は背面斜視図である。
【図１１】本発明による第４の実施例に係るメダル補助収納庫の構成を示す図あり、（ａ）は底面図であり、（ｂ）は背面斜視図であり、（ｃ）は背面図であり、（ｄ）は（ｃ）のＡ−Ａ断面図である。
【図１２】本発明による第５の実施例に係るメダル補助収納庫の構成を示す図あり、（ａ）は背面図であり、（ｂ）は（ａ）のＡ−Ａ断面図であり、（ｃ）は正面図である。
【図１３】本発明による第６の実施例に係るメダル補助収納庫の構成を示す図あり、（ａ）は背面図であり、（ｂ）は（ａ）のＡ−Ａ断面図であり、（ｃ）は正面図である。
【図１４】本発明による第７の実施例に係るメダル補助収納庫を前後移動する際の動作を説明する底面図であり、（ａ）はメダル補助収納庫が前方に位置する状態を示す図であり、（ｂ）は（ａ）の状態からメダル補助収納庫を後方に移動させた状態を示す図であり、（ｃ）は（ｂ）の状態からメダル補助収納庫を前方に移動させた状態を示す図である。
【図１５】本発明による第８の実施例に係るメダル補助収納庫近傍の構成を示す正面図である。
【発明を実施するための形態】
【０００９】
以下、図面を用いて、本発明の実施例に係るスロットマシン（遊技台）について詳細に説明する。
【００１０】
＜全体構成＞
まず、図１を用いて、本発明に係るスロットマシン１００の全体構成について説明する。なお、同図はスロットマシン１００の外観斜視図を示したものである。
【００１１】
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１２】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１４】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１５】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１６】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１７】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１８】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２１】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２２】
音孔１８０はスロットマシン１００に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置（液晶ユニットともいう）１５７（演出画像表示装置）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２３】
図２は、前面扉１０２を開けた状態のスロットマシン１００を示す正面図である。
【００２４】
本体１０１は、上面板２６１、左側の側面板２６０、右側の側面板２６０、下面板２６４および背面板２４２で囲われ、前面に開口する箱体である。本体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２５】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して不図示の主制御部、副制御部等の各制御部、各装置に供給する。さらには、外部からの電源が断たれた後も所定の部品（例えば主制御部のＲＡＭ等）に所定の期間（例えば１０日間）電源を供給するための蓄電回路（例えばコンデンサ）を備えている。
【００２６】
メダル払出装置１８０の右側には、メダル補助収納庫２４０が配設してあり、この背後にはオーバーフロー端子が配設されている（図示省略）。電源装置２５２には、電源コード２６５を接続する電源コード接続部が設けられ、ここに接続された電源コード２６５が、本体１０１の背面板２４２に開設した電源コード用穴２６２を通して外部に延出している。
【００２７】
前面扉１０２は、本体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１８０に対応する位置には低音スピーカ２７７を設けている。なお、本実施形態では、（前面扉１０２を本体１０１に閉じた状態で）本体１０１の背面板２４２から前面扉１０２に向かう方向に移動することを「前方に移動する」とし、（前面扉１０２を本体１０１に閉じた状態で）本体１０１の前面扉１０２から背面板２４２に向かう方向に移動することを「後方に移動する」としている。
【００２８】
＜メダル補助収納庫の構成＞
＜＜第１の実施例＞＞
図３は、本発明による第１の実施例に係るメダル補助収納庫の構成を示す図あり、（ａ）は底面図であり、（ｂ）は正面図であり、（ｃ）は平面図であり、（ｄ）は左側面図である。
【００２９】
図４は、図３に示すメダル補助収納庫２４０の構成を示す図あり、（ａ）は背面図であり、（ｂ）は（ａ）のＡ−Ａ断面図であり、（ｃ）は正面斜視図であり、（ｄ）は背面斜視図である。
【００３０】
なお、メダル払出装置１８０にメダルが自動的に補給される仕様とした場合は、メダル払出装置１８０には自動補給に関わる装置が取り付けられる措置がなされ、メダル補助収納庫２４０は、取り外されるか、メダル補助収納庫２４０の底板を外す等することによりメダル補助収納庫２４０内にメダルが溜まることないようにするか、の措置がなされ、本体床板（下面板２６４）は、島設備にメダルを落下させる開口を形成する措置がなされる。このように、メダル補助収納庫２４０の底板は、外されることを想定し、予め外しやすい構造を有するのが一般的であり、本実施形態においてもその構造を有しているが、本実施形態の特徴部分の説明を容易にするために図示は省略した。
【００３１】
メダル補助収納庫２４０は、遊技台１００の下面板２６４の上を前後に移動可能なものであって、底板７０２ａおよび７０２ｂと、底板７０２ａの前方縁から立ち上がる前側板７０３ａと、底板７０２ｂの後方縁から立ち上がる後側板７０３ｂと、底板７０２ａおよび７０２ｂの右側方から立ち上がる右側板７０１ａと、底板７０２ａおよび７０２ｂの左側方から立ち上がる左側板７０１ｂとを有し、上部が開放しており、スペース７０５に、上部から落下してきたメダルを収納可能に構成している。メダル補助収納庫２４０を構成する各板や各部材はすべて一体である場合があり、一部が一体である場合があり、全てが別体である場合がある。
【００３２】
底板７０２ｂは、底板７０２ａよりも高い位置に設けられており、底板７０２ａが下面板２６４に接したとき、下面板２６４と底板７０２ｂとの間にスペース７０４が生じる。右側板７０１ａおよび左側板７０１ｂは、底板７０２ｂよりも下方に延伸し下面板２６４に達する。一方、後側板７０３ｂは底板７０２ｂよりも下方にまで延伸しておらず、メダル補助収納庫２４０の後端下部に、スペース７０４へと繋がる開口部７０４ａを形成している。
【００３３】
底板７０２ｂと底板７０２ａとの間には段差７０２ｃを設けており、底板７０２ｂよりも低い底板７０２ａの位置にまでスペース７０５を拡張し、メダルを収納可能な領域を広げている。
【００３４】
前側板７０３ａには取っ手７００を設けており、操作者がこの取っ手７００を掴んでメダル補助収納庫２４０を前後に移動可能にしている。
【００３５】
図５は、図３に示すメダル補助収納庫の背面図であり、開口部７０４ａについて説明する図である。
【００３６】
開口部７０４ａの幅をＬ２とし、高さをＬ１とし、また、メダル７０６の直径をＬ３とし、厚さをＬ４としたとき、
Ｌ４＜Ｌ１であり、且つ
Ｌ３＜Ｌ２である。
【００３７】
これにより、下面板２６４上に散乱するメダル７０６は、開口部７０４ａからスペース７０４へと収まり、メダル補助収納庫２４０の前後移動の妨げとならない場合がある。
【００３８】
なお、複数枚のメダル７０６が積み重なった場合、上に積み重なったメダル７０６がメダル補助収納庫２４０の前後移動を妨げてしまい、別のメダル７０６のスペース７０４への侵入を妨げてしまうおそれがあるため、開口部７０４ａの高さＬ１を、メダル７０６の厚さＬ４より大きいものとし、尚且つメダル７０６の厚さＬ４の２倍の長さより小さいものとしてもよい（Ｌ４＜Ｌ１＜Ｌ４×２）。この場合、メダル補助収納庫２４０を前後移動することで、メダル７０６のスペース７０４への侵入を許容しつつ、上に積み重なったメダル７０６を下にあるメダルに積み重ならないようにすることができ、メダル７０６のスペース７０４への侵入を容易にすることができる場合がある。
【００３９】
なお、２枚のメダル７０６が積み重なった場合、上に積み重なった２枚目のメダル７０６がメダル補助収納庫２４０の前後移動を妨げてしまい、別のメダル７０６のスペース７０４への侵入を妨げてしまうおそれがあるため、開口部７０４ａの高さＬ１を、メダル７０６の厚さＬ４の２倍の長さより大きいものとしてもよい（Ｌ４×２＜Ｌ１）。
【００４０】
なお、３枚のメダル７０６が積み重なった場合を考慮すれば、開口部７０４ａの高さＬ１を、メダル７０６の厚さＬ４の３倍の長さより大きいものとしてもよい（Ｌ４×３＜Ｌ１）。
【００４１】
なお、開口部７０４ａの高さＬ１を大きくし過ぎると、メダル補助収納庫２４０が収納可能なメダル数が少なくなりメダル補助収納庫２４０に与えられた本来の機能を発揮できなくなるおそれがあるので、現実的にメダル７０６が積み重なる可能性のある２枚程度を想定した開口部７０４ａの高さＬ１の設定とするとよい。
【００４２】
なお、２枚のメダル７０６が積み重なることなく横並びとなった場合（メダル７０６の径がＬ３×２の長さとなった場合）、この２枚のメダル７０６が開口部７０４ａを塞いでしまい、別のメダル７０６のスペース７０４への侵入を妨げてしまうおそれがあるため、開口部７０４ａの幅Ｌ２を、メダル７０６の直径Ｌ３の２倍の長さより大きいものとしてもよい（Ｌ３×２＜Ｌ２）。
【００４３】
なお、開口部７０４ａの幅Ｌ２を大きくし過ぎると、メダル補助収納庫２４０の横幅も大きくなり、メダル補助収納庫２４０の収納スペースを大きくとることとなるおそれがあるので、開口部７０４ａの幅Ｌ２を、メダル７０６の直径Ｌ３の２倍の長さより大きいものとし、尚且つメダル７０６の直径Ｌ３の３倍の長さより小さいものとしてもよい（Ｌ３×２＜Ｌ２＜Ｌ３×３）。３枚のメダル７０６が積み重なることなく横並びとなった場合（メダル７０６の径がＬ３×３の長さとなった場合）でも、３枚のうち中央のメダル７０６がスペース７０４へ侵入し、中央のメダル７０６を除いた両端の２枚のメダル７０６がメダル補助収納庫２４０によって移動させられるので、これら３枚のメダル７０６により開口部７０４ａが塞がれてしまうことがなくなる場合がある。
【００４４】
図６は、図３に示すメダル補助収納庫または従来のメダル補助収納庫を前後移動する際の動作を説明する底面図であり、（ａ）は図３に示すメダル補助収納庫２４０が前方に位置する状態を示す図であり、（ｂ）は従来のメダル補助収納庫１２４０が前方に位置する状態を示す図であり、（ｃ）は（ａ）の状態からメダル補助収納庫２４０を後方に移動させた状態を示す図であり、（ｄ）は（ｂ）の状態からメダル補助収納庫１２４０を後方に移動させた状態を示す図である。
【００４５】
図６（ａ）および（ｃ）に示すように、本実施例によれば、メダル補助収納庫２４０を後方に移動させたとき、下面板２６４上に散乱するメダル７０６は、開口部７０４ａからスペース７０４へと収まり、メダル補助収納庫２４０に押されたメダル７０６が背面板２４２に当接してメダル補助収納庫２４０の後方移動の障害となることがない場合がある。
【００４６】
これにたいして、図６（ｂ）および（ｄ）に示すように、従来は、メダル補助収納庫１２４０を後方に移動させたとき、下面板２６４上に散乱するメダル７０６は、メダル補助収納庫１２４０に押されて背面板２４２に当接してメダル補助収納庫２４０の後方移動の障害となる。
【００４７】
ここで、図６（ａ）および（ｃ）に示す本実施例のメダル補助収納庫２４０を後方に移動させるときに必要な押す力をｆ１とし、図６（ｂ）および（ｄ）に示す従来のメダル補助収納庫１２４０を後方に移動させるときに必要な押す力をｆ２とすると、ｆ１＜ｆ２である。
【００４８】
図７は、図３に示すメダル補助収納庫を後方に移動させたときの状態を示す斜視図である。図７においては、前側板７０３ａ、後側板７０３ｂ、右側板７０１ａおよび左側板７０１ｂが透明な場合を示している。
【００４９】
図７に示すように、本実施例によれば、メダル補助収納庫２４０を後方に移動させたとき、下面板２６４上に散乱するメダル７０６は、開口部７０４ａからスペース７０４へと収まった状態となる。
【００５０】
＜＜第２の実施例＞＞
図８は、本発明による第２の実施例に係るメダル補助収納庫の構成を示す図あり、（ａ）は底面図であり、（ｂ）は正面図であり、（ｃ）は平面図であり、（ｄ）は左側面図である。
【００５１】
図９は、図８に示すメダル補助収納庫の構成を示す図あり、（ａ）は背面図であり、（ｂ）は（ａ）のＡ−Ａ断面図であり、（ｃ）は正面斜視図であり、（ｄ）は背面斜視図である。
【００５２】
メダル補助収納庫２２４０は、遊技台１００の下面板２６４の上を前後に移動可能なものであって、底板２７０２ａおよび２７０２ｂと、底板２７０２ａの前方縁から立ち上がる前側板２７０３ａと、底板２７０２ｂの後方縁から立ち上がる後側板２７０３ｂと、底板２７０２ａの右側方から立ち上がる右側板２７０１ａと、底板２７０２ａの左側方から立ち上がる左側板２７０１ｂとを有し、上部が開放しており、スペース２７０５に、上部から落下してきたメダルを収納可能に構成している。メダル補助収納庫２２４０を構成する各板や各部材はすべて一体である場合があり、一部が一体である場合があり、全てが別体である場合がある。
【００５３】
底板２７０２ｂは、底板２７０２ａよりも高い位置に設けられており、底板２７０２ａは、底板２７０２ｂの後端近傍にまで延伸している。これにより、底板２７０２ａと底板２７０２ｂとの間にスペース２７０４が生じる。また、メダル補助収納庫２２４０の後端下部の底板２７０２ａと底板２７０２ｂとの間に、スペース２７０４へと繋がる開口部２７０４ａを形成している。
【００５４】
底板２７０２ｂと底板２７０２ａとの間には段差２７０２ｃを設けており、底板２７０２ｂよりも低い底板２７０２ａの位置にまでスペース２７０５を拡張し、メダルを収納可能な領域を広げている。
【００５５】
前側板２７０３ａには取っ手２７００を設けており、操作者がこの取っ手２７００を掴んでメダル補助収納庫２２４０を前後に移動可能にしている。
【００５６】
本実施例によれば、メダル補助収納庫２２４０を後方に移動させたとき、下面板２６４上に散乱するメダルは、開口部２７０４ａからスペース２７０４へと収まり、メダル補助収納庫２２４０に押されたメダル７０６が背面板２４２に当接してメダル補助収納庫２２４０の後方移動の障害となることがない場合がある。また、スペース２７０４へと収まったメダルは、メダル補助収納庫２２４０をその後に前方へ移動させたときにスペース２７０４（底板２７０２ｂと底板２７０２ａとの間）に収まったままで回収することができ、メダルの回収効率を上げることができる場合がある。
【００５７】
＜＜第３の実施例＞＞
図１０は、本発明による第３の実施例に係るメダル補助収納庫の構成を示す図あり、（ａ）は底面図であり、（ｂ）は背面斜視図である。
【００５８】
メダル補助収納庫３２４０は、遊技台１００の下面板２６４の上を前後に移動可能なものであって、底板３７０２ａと、底板３７０２ａの前方縁から立ち上がる前側板３７０３ａと、底板３７０２ａの後方から立ち上がる後側板３７０３ｂと、底板３７０２ａの右側方から立ち上がる右側板３７０１ａと、底板３７０２ａの左側方から立ち上がる左側板３７０１ｂとを有し、上部が開放しており、スペース３７０５に、上部から落下してきたメダルを収納可能に構成している。メダル補助収納庫３２４０を構成する各板や各部材はすべて一体である場合があり、一部が一体である場合があり、全てが別体である場合がある。
【００５９】
底板３７０２ａの後端には、荷重低減部３７０２ｂを設けている。この荷重低減部３７０２ｂは、メダル補助収納庫３２４０の後端側が頂上であって先端側が麓である山の形状をしている。
【００６０】
前側板３７０３ａには取っ手３７００を設けており、操作者がこの取っ手３７００を掴んでメダル補助収納庫３２４０を前後に移動可能にしている。
【００６１】
本実施例によれば、メダル補助収納庫３２４０を後方に移動させたとき、下面板２６４上に散乱するメダルは、山形状の荷重低減部３７０２ｂによってその頂上から麓へと横方向に拡散せしめられ、メダル補助収納庫３２４０に押されたメダルが背面板２４２とメダル補助収納庫３２４０との間に入り込むことがなく、メダル補助収納庫３２４０の後方移動の障害となることがない場合がある。
【００６２】
＜＜第４の実施例＞＞
図１１は、本発明による第４の実施例に係るメダル補助収納庫の構成を示す図あり、（ａ）は底面図であり、（ｂ）は背面斜視図であり、（ｃ）は背面図であり、（ｄ）は（ｃ）のＡ−Ａ断面図である。
【００６３】
メダル補助収納庫４２４０は、遊技台１００の下面板２６４の上を前後に移動可能なものであって、底板４７０２ａおよび４７０２ｂと、底板４７０２ａの前方縁から立ち上がる前側板４７０３ａと、底板４７０２ｂの後方縁から立ち上がる後側板４７０３ｂと、底板４７０２ａの右側方から立ち上がる右側板４７０１ａと、底板４７０２ａの左側方から立ち上がる左側板４７０１ｂとを有し、上部が開放しており、スペース４７０５に、上部から落下してきたメダルを収納可能に構成している。メダル補助収納庫４２４０を構成する各板や各部材はすべて一体である場合があり、一部が一体である場合があり、全てが別体である場合がある。
【００６４】
底板４７０２ｂは、底板４７０２ａよりも高い位置に設けられており、底板４７０２ａが下面板２６４に接したとき、下面板２６４と底板４７０２ｂとの間にスペース４７０４が生じる。右側板４７０１ａおよび左側板４７０１ｂは、底板４７０２ｂよりも下方に延伸し下面板２６４に達する。一方、後側板４７０３ｂは底板４７０２ｂよりも下方にまで延伸しておらず、メダル補助収納庫４２４０の後端下部に、スペース４７０４へと繋がる開口部４７０４ａを形成している。
【００６５】
底板４７０２ｂと底板４７０２ａとの間には段差４７０２ｃを設けており、底板４７０２ｂよりも低い底板４７０２ａの位置にまでスペース４７０５を拡張し、メダルを収納可能な領域を広げている。
【００６６】
前側板４７０３ａには取っ手４７００を設けており、操作者がこの取っ手４７００を掴んでメダル補助収納庫４２４０を前後に移動可能にしている。
【００６７】
底板４７０２ａの後端には、荷重低減部４７０２ｂを設けている。この荷重低減部４７０２ｂは、メダル補助収納庫４２４０の後端側が頂上であって先端側が麓である山の形状をしている。
【００６８】
右側板４７０１ａおよび左側板４７０１ｂは、荷重低減部４７０２ｂの麓近傍で、メダルが側方に逃げる（スペース４７０４の外部に出る）ことが可能なように切り欠き部４７０１ａａおよび切り欠き部４７０１ｂａを設けている。
【００６９】
本実施例によれば、メダル補助収納庫４２４０を後方に移動させたとき、下面板２６４上に散乱するメダルは、開口部４７０４ａからスペース４７０４へと収まり、メダル補助収納庫４２４０に押されたメダルが背面板２４２に当接してメダル補助収納庫４２４０の後方移動の障害となることがない場合がある。また、本実施例によれば、メダル補助収納庫４２４０を後方に移動させたとき、下面板２６４上に散乱するメダルは、山形状の荷重低減部４７０２ｂによってその頂上から麓へと横方向に拡散せしめられ、切り欠き部４７０１ａａおよび４７０１ｂａから側方に逃げ、メダル補助収納庫４２４０に押されたメダルが背面板２４２とメダル補助収納庫４２４０との間に入り込むことがなく、メダル補助収納庫４２４０の後方移動の障害となることがない場合がある。
【００７０】
＜＜第５の実施例＞＞
図１２は、本発明による第５の実施例に係るメダル補助収納庫の構成を示す図あり、（ａ）は背面図であり、（ｂ）は（ａ）のＡ−Ａ断面図であり、（ｃ）は正面図である。
【００７１】
メダル補助収納庫５２４０は、遊技台１００の下面板２６４の上を前後に移動可能なものであって、底板５７０２ａと、底板５７０２ａの前方縁から立ち上がる前側板５７０３ａと、底板５７０２ａの後方縁から立ち上がる後側板５７０３ｂと、底板５７０２ａの右側方から立ち上がる右側板５７０１ａと、底板５７０２ａの左側方から立ち上がる左側板５７０１ｂとを有し、上部が開放しており、スペース５７０５に、上部から落下してきたメダル７０６を収納可能に構成している。メダル補助収納庫５２４０を構成する各板や各部材はすべて一体である場合があり、一部が一体である場合があり、全てが別体である場合がある。
【００７２】
底板５７０２ａは、例えばその４隅に脚部５７０２ｂ、５７０２ｃ、５７０２ｄおよび５７０２ｅを有しており、この脚部５７０２ｂ、５７０２ｃ、５７０２ｄおよび５７０２ｅによって底板５７０２ａは高床式に設けられ、下面板２６４との間にスペース５７０４が生じる。底板５７０２ａは、脚部５７０２ｂおよび５７０２ｄに持ち上げられて開口部５７０４ａを形成している。
【００７３】
前側板５７０３ａには取っ手５７００を設けており、操作者がこの取っ手５７００を掴んでメダル補助収納庫５２４０を前後に移動可能にしている。
【００７４】
本実施例によれば、メダル補助収納庫５２４０を後方に移動させたとき、下面板２６４上に散乱するメダル７０６は、開口部５７０４ａからスペース５７０４へと収まり、メダル補助収納庫５２４０に押されたメダル７０６が背面板２４２に当接してメダル補助収納庫５２４０の後方移動の障害となることがない場合がある。
【００７５】
＜＜第６の実施例＞＞
図１３は、本発明による第６の実施例に係るメダル補助収納庫の構成を示す図あり、（ａ）は背面図であり、（ｂ）は（ａ）のＡ−Ａ断面図であり、（ｃ）は正面図である。なお、図１３（ｃ）においては、スペース６７０４が見えるように、前方脚６７０３ａｂの図示を省略している。
【００７６】
メダル補助収納庫６２４０は、遊技台１００の下面板２６４の上を前後に移動可能なものであって、底板６７０２ａと、底板６７０２ａの前方縁から立ち上がる前側板６７０３ａと、底板６７０２ａの後方縁から立ち上がる後側板６７０３ｂと、底板６７０２ａの右側方から立ち上がる右側板６７０１ａと、底板６７０２ａの左側方から立ち上がる左側板６７０１ｂとを有し、上部が開放しており、スペース６７０５に、上部から落下してきたメダル７０６を収納可能に構成している。メダル補助収納庫６２４０を構成する各板や各部材はすべて一体である場合があり、一部が一体である場合があり、全てが別体である場合がある。
【００７７】
底板６７０２ａは、例えば、その側方に側方脚６７０２ｂおよび６７０２ｃを有し、その前方に前方脚６７０３ａｂを有しており、この側方脚６７０２ｂ、側方脚６７０２ｃおよび前方脚６７０３ａｂによって底板６７０２ａは高床式に設けられ、下面板２６４との間にスペース６７０４が生じる。底板６７０２ａは、脚部６７０２ｂおよび６７０２ｃに持ち上げられて開口部６７０４ａを形成している。
【００７８】
前側板６７０３ａには取っ手６７００を設けており、操作者がこの取っ手６７００を掴んでメダル補助収納庫６２４０を前後に移動可能にしている。
【００７９】
本実施例によれば、メダル補助収納庫６２４０を後方に移動させたとき、下面板２６４上に散乱するメダル７０６は、開口部６７０４ａからスペース６７０４へと収まり、メダル補助収納庫６２４０に押されたメダル７０６が背面板２４２に当接してメダル補助収納庫６２４０の後方移動の障害となることがない場合がある。
【００８０】
＜＜第７の実施例＞＞
図１４は、本発明による第７の実施例に係るメダル補助収納庫を前後移動する際の動作を説明する底面図であり、（ａ）はメダル補助収納庫が前方に位置する状態を示す図であり、（ｂ）は（ａ）の状態からメダル補助収納庫を後方に移動させた状態を示す図であり、（ｃ）は（ｂ）の状態からメダル補助収納庫を前方に移動させた状態を示す図である。
【００８１】
メダル補助収納庫７２４０は、図３に示した第１の実施例とほぼ同様の構成であって、右側板７０１ａの後端において内側に屈曲（開口部７７０４ａを狭めるように屈曲）する屈曲部７７０１ａａを有するとともに左側板７０１ｂの後端において内側に屈曲（開口部７７０４ａを狭めるように屈曲）する屈曲部７７０１ｂａを有する点で図３に示した第１の実施例と相違する。本実施例では、右側板７０１ａおよび左側板７０１ｂの両方に屈曲部を設けたが、片側だけに屈曲部を設ける場合がある。
【００８２】
すなわち、メダル補助収納庫７２４０は、遊技台１００の下面板２６４の上を前後に移動可能なものであって、底板７７０２ａおよび７７０２ｂと、底板７７０２ａの前方縁から立ち上がる前側板７７０３ａと、底板７７０２ｂの後方縁から立ち上がる後側板（図示省略）と、底板７７０２ａおよび７７０２ｂの右側方から立ち上がる右側板７７０１ａと、底板７７０２ａおよび７７０２ｂの左側方から立ち上がる左側板７７０１ｂとを有し、上部が開放しており、上部から落下してきたメダルを収納可能なスペース（図示省略）を形成している。メダル補助収納庫７２４０を構成する各板や各部材はすべて一体である場合があり、一部が一体である場合があり、全てが別体である場合がある。
【００８３】
底板７７０２ｂは、底板７７０２ａよりも高い位置に設けられており、底板７７０２ａが下面板２６４に接したとき、下面板２６４と底板７７０２ｂとの間にスペース７７０４が生じる。右側板７７０１ａおよび左側板７７０１ｂは、底板７７０２ｂよりも下方に延伸し下面板２６４に達する。一方、後側板は底板７７０２ｂよりも下方にまで延伸しておらず、メダル補助収納庫４０の後端下部に、スペース７７０４へと繋がる開口部７７０４ａを形成している。
【００８４】
底板７７０２ｂと底板７７０２ａとの間には段差７７０２ｃを設けており、底板７７０２ｂよりも低い底板７７０２ａの位置にまで、上部から落下してきたメダルを収納可能なスペースを拡張し、メダルを収納可能な領域を広げている。
【００８５】
図１４（ａ）および（ｂ）に示すように、メダル補助収納庫７２４０を後方に移動させたとき、下面板２６４上に散乱するメダル７０６は、開口部７７０４ａからスペース７７０４へと収まり、メダル補助収納庫７２４０に押されたメダル７０６が背面板２４２に当接してメダル補助収納庫７２４０の後方移動の障害となることがない場合がある。
【００８６】
また、図１４（ｃ）に示すように、図１４（ｂ）の状態からメダル補助収納庫７２４０を前方に移動させると、図１４（ｂ）の状態でスペース７７０４に収まっていたメダル７０６のうちの一部は、内側に屈曲した屈曲部７７０１ａａおよび屈曲部７７０１ｂａに捕捉されてスペース７７０４内に留まり、メダル補助収納庫７２４０を引き出したときに回収可能なメダル７０６が増加する場合がある。
【００８７】
なお、屈曲部７７０１ａａおよび屈曲部７７０１ｂａにより、メダル補助収納庫７２４０が前方に移動する際にメダル７０６が左右方向に移動しやすくなり、必要以上に多くのメダル７０６を回収することがなくなる場合がある。
【００８８】
なお、本実施例では、右側板７０１ａの後端において外側に屈曲（開口部７７０４ａを広めるように屈曲）する屈曲部７７０１ａａを有するとともに左側板７０１ｂの後端において外側に屈曲（開口部７７０４ａを広めるように屈曲）する屈曲部７７０１ｂａを形成してもよい。この場合、メダル７０６がスペース７７０４に収まり易くなり、後のメダル回収作業が容易になる場合がある。
【００８９】
＜＜第８の実施例＞＞
図１５は、本発明による第８の実施例に係るメダル補助収納庫近傍の構成を示す正面図である。
【００９０】
メダル補助収納庫８２４０は、遊技台１００の下面板２６４の上を前後に移動可能なものであって、底板８７０２と、底板８７０２の前方縁から立ち上がる前側板８７０３ａと、底板８７０２の後方縁から立ち上がる後側板（図示省略）と、底板８７０２の右側方から立ち上がる右側板８７０１ａと、底板８７０２の左側方から立ち上がる左側板８７０１ｂとを有し、上部が開放しており、上部から落下してきたメダルを収納可能なスペース（図示省略）を形成している。メダル補助収納庫８２４０を構成する各板や各部材はすべて一体である場合があり、一部が一体である場合があり、全てが別体である場合がある。
【００９１】
前側板８７０３ａには取っ手８７００を設けており、操作者がこの取っ手８７００を掴んでメダル補助収納庫５２４０を前後に移動可能にしている。
【００９２】
下面板２６４には、メダル補助収納庫８２４０の前後移動を案内する案内レール２６４ａおよび２６４ｂを設けている。また、案内レール２６４ａと案内レール２６４ｂとの間には凹部２６４ｃを設けている。
【００９３】
下面板２６４の案内レール２６４ａおよび２６４ｂに沿ってメダル補助収納庫８２４０を後方に移動させたとき、底板８７０２と下面板２６４の凹部２６４ｃの底との間にスペース８７０４が生じる。
【００９４】
本実施例によれば、メダル補助収納庫８２４０を後方に移動させたとき、下面板２６４上に散乱するメダル７０６は、スペース８７０４へと収まり、メダル補助収納庫８２４０に押されたメダル７０６が背面板２４２に当接してメダル補助収納庫８２４０の後方移動の障害となることがない場合がある。
【００９５】
＜封入式遊技台への適用＞
本発明に係る遊技台は、遊技台内に封入されたメダル７０６を循環使用する封入式遊技台にも適用可能である。
【００９６】
＜付記＞
本発明は、
１．  メダル収納庫（例えば、メダル補助収納庫２４０）を本体床板（例えば、下面板２６４）上で前後移動可能に収納する遊技台であって、
前記メダル収納庫は、メダルを収納する第一のスペース（例えば、スペース７０５）を形成するものであり、
前記メダル収納庫は、前記第一のスペースの底板（例えば、底板７０２ａ、７０２ｂ）の少なくとも一部（例えば、底板７０２ｂ）を天板とした第二のスペース（例えば、スペース７０４）を形成するものであり、
前記メダル収納庫は、後端下部に、前記第二のスペースの開口部（例えば、開口部７０４ａ）を形成するものである、
ことを特徴とする遊技台、としたので、
メダル収納庫を本体に収納する移動をするのに、大きな力を必要としないで済むという効果を奏する。
【００９７】
また本発明は、
２．
１．に記載の遊技台において、
前記メダル収納庫は、
略長方形の底板（例えば、底板７０２ｂ）と、
前記底板の縁周囲に配設された側板（例えば、右側板７０１ａ、左側板７０１ｂ、前側板７０３ａ、後側板７０３ｂ）と、
からなり、
前記側板は、
前記底板の長手方向の縁に対峙する一対の長側板（例えば、右側板７０１ａ、左側板７０１ｂ）と、
前記底板の長手方向の縁に対峙する一対の短側板（例えば、前側板７０３ａ、後側板７０３ｂ）と、
からなり、
前記短側板は、
前側板（例えば、前側板７０３ａ）と、
後側板（例えば、後側板７０３ｂ）と、
からなり
前記長側板の下部の少なくとも一部は、
前記底板（例えば、底板７０２ｂ）の長手方向の縁より下方に向けて連設されたものである、
ことを特徴とする遊技台、としたので、
メダルを存在させるスペースを広く確保することができる場合がある。
【００９８】
また本発明は、
３．
メダル収納庫（例えば、メダル補助収納庫３２４０、４２４０）を本体床板上で前後方向に移動させることが可能な遊技台であって、
前記メダル収納庫は、後方に向けて荷重低減部（例えば、荷重低減部３７０２ｂ、４７０２ｂ）を形成するものであり、
前記荷重低減部は、メダルを拡散させることによって前記メダル収納庫を後方に向かって移動した場合に生じるメダルとの衝突荷重を低減させるものである、
ことを特徴とする遊技台、としたので、
メダル収納庫を本体に収納する移動をするのに、大きな力を必要としないで済むという効果を奏する。
【００９９】
また本発明は、
４．
メダル収納庫（例えば、メダル補助収納庫２４０、２２４０、４２４０、５２４０、６２４０、７２４０、８２４０）を本体床板上で前後移動可能に収納する遊技台であって、
前記本体床板は、前記メダル収納庫の移動領域の少なくとも一部に、メダルを収納するメダル収納スペース（例えば、メダル収納スペース７０４、２７０４、４７０４、５７０４、６７０４、７７０４、８７０４）を形成するものである、
ことを特徴とする遊技台、としたので、
メダル収納庫を本体に収納する移動をするのに、大きな力を必要としないで済むという効果を奏する。
【０１００】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０１０１】
本発明に係る遊技台は、スロットマシンなどに代表される遊技台に適用することができる。
【符号の説明】
【０１０２】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  スタートランプ
１２３  告知ランプ
１２４  メダル投入ランプ
１２５  払出枚数表示器
１２６  遊技回数表示器
１２７  貯留枚数表示器
１２８  リールパネルランプ
１３０  メダル投入ボタン
１３２  精算ボタン
１３３  メダル返却ボタン
１３４  メダル投入口
１３５  スタートレバー
１３７〜１３９  ストップボタン
１４０  ドアキー孔
１５０  上部ランプ
１５１  サイドランプ
１５２  中央ランプ
１５３  腰部ランプ
１５４  下部ランプ
１５５  メダル払出口
１５６  メダル受皿
１６０  演出装置
１６２  タイトルパネル
１６３  シャッタ
１７０  メダルセレクタ
２４０  メダル補助収納庫
２７２  上部スピーカ
２７７  スピーカ
【要約】
【課題】メダル補助収納庫を配置させるまでの大きな力を要さなくて済む遊技台を提供することである。
【解決手段】メダル収納庫を本体床板上で前後移動可能に収納する遊技台であって、前記メダル収納庫は、メダルを収納する第一のスペースを形成するものであり、前記メダル収納庫は、前記第一のスペースの底板の少なくとも一部を天板とした第二のスペースを形成するものであり、前記メダル収納庫は、後端下部に、前記第二のスペースの開口部を形成するものである、ことを特徴とする。
【選択図】図４【図１】
0005469259.tif 000002
【図２】
0005469259.tif 000003
【図３】
0005469259.tif 000004
【図４】
0005469259.tif 000005
【図５】
0005469259.tif 000006
【図８】
0005469259.tif 000007
【図９】
0005469259.tif 000008
【図１０】
0005469259.tif 000009
【図１１】
0005469259.tif 000010
【図１２】
0005469259.tif 000011
【図１３】
0005469259.tif 000012
【図１５】
0005469259.tif 000013
【図６】
0005469259.tif 000014
【図７】
0005469259.tif 000015
【図１４】
0005469259.tif 000016